(57)【要約】【課題】上端側が開口している四角柱状の外部ケースと、外部ケース内に収容される内部ユニットと、外部ケースを上側から閉鎖するカバー体とからなり、ヒンジ機構によって、カバー体が外部ケースに回動可能に連結され、カバー体が外部ケース内の上側を解放及び閉鎖するライターにおいて、解放・閉鎖動作を長期にわたって繰り返してもヒンジ機構にがたつきが生じるおそれのないライターを提供する。【解決手段】ヒンジ機構を、棒状の芯体と、カバー側受け入れ部及び芯体が嵌装されるカバー側筒状部とが下端に形成されているカバー側板体と、ケース側受け入れ部及び芯体が嵌装されるケース側筒状部とが上端に形成されているケース側板体とで構成し、カバー側板体及びケース側板体がいずれも一体形成されている。【選択図】図１
2009192111.tif 000002
【特許請求の範囲】
【請求項１】
上端側が開口している四角柱状の外部ケースと、当該外部ケース内に収容される内部ユニットと、内部ユニットを収容している外部ケースを上側から閉鎖するカバー体とからなり、
ヒンジ機構によって、前記カバー体の一側の下端が、前記外部ケースの対応する一側の上端に回動可能に連結され、前記カバー体が、前記外部ケース内に収容されている内部ユニットの上側を解放及び閉鎖するライターであって、
前記ヒンジ機構は、
棒状の芯体と、
カバー側受け入れ部と、前記芯体が嵌装されるカバー側筒状部とが下端に形成されていて、前記カバー体の一側の下端の外側に固定されるカバー側板体と、
ケース側受け入れ部と、前記芯体が嵌装されるケース側筒状部とが上端に形成されていて、前記外部ケースの一側の上端の外側に固定されるケース側板体と
からなり、
前記カバー側板体とケース側板体とが組み合わされ、前記ケース側筒状部が前記カバー側受け入れ部に装着されると共に、前記カバー側筒状部がケース側受け入れ部に装着されて前記カバー側筒状部とケース側筒状部とが連設され、当該連設されたカバー側筒状部とケース側筒状部とに前記芯体が嵌装されることによって、前記ヒンジ機構による、前記カバー体の一側の下端の、前記外部ケースの対応する一側の上端への回動可能な連結が行われ、
前記カバー側板体が、前記カバー側筒状部及び前記カバー側受け入れ部を備えている状態で一体形成されているとともに、
前記ケース側板体が、前記ケース側筒状部及び前記ケース側受け入れ部を備えている状態で一体形成されている
ことを特徴とするライター。
【請求項２】
前記カバー側筒状部は少なくともケース側板体に対向する側が凸湾する湾曲面に形成されていると共に、前記ケース側筒状部は少なくともカバー側板体に対向する側が凸湾する湾曲面に形成されていて、前記カバー側受け入れ部は前記ケース側筒状部の凸湾する湾曲面に対応するＲを有するように凹湾して形成され、前記ケース側受け入れ部は前記カバー側筒状部の凸湾する湾曲面に対応するＲを有するように凹湾して形成されていることを特徴とする請求項１記載のライター。
【請求項３】
上端側が開口している四角柱状の外部ケースと、当該外部ケース内に収容される内部ユニットと、内部ユニットを収容している外部ケースを上側から閉鎖するカバー体とからなり、
ヒンジ機構によって、前記カバー体の前記一側の下端が、前記外部ケースの対応する一側の上端に回動可能に連結され、前記カバー体が、前記外部ケース内に収容されている内部ユニットの上側を解放及び閉鎖するライターであって、
前記内部ユニットは、上端側が開口している四角柱状の風除け室を上部に備えており、
前記風除け室内には、前記内部ユニットの上部を通って下端側が前記内部ユニットの内部下側に向かって延びる芯の上端が配置され、
当該四角柱状の風除け室の一側は開放されていて、当該開放されている風除け室の一側に、発火車が、当該発火車の一側の少なくとも一部が前記風除け室の内部に位置し、当該発火車の他側が前記風除け室の外部に位置するように回動可能に配備され、
ライター石が、前記発火車の下側に位置するように、前記内部ユニットの上部に配備され、
前記風除け室の前記発火車が配備されている一側に直交する壁体の上端縁が、前記発火車が配備されている側に対向している側から、前記発火車が配備されている側に向かうにつれて下り傾斜している
ことを特徴とするライター。
【請求項４】
前記四角柱状の風除け室の前記発火車が配備されている一側に直交する壁体には複数の透孔が形成されており、当該複数の透孔の中の少なくとも一つの透孔の径は、他の透孔の径より大きいことを特徴とする請求項３記載のライター。
【発明の詳細な説明】
【技術分野】
【０００１】
この発明はライターに関する。
【背景技術】
【０００２】
上端側が開口している四角柱状の外部ケースと、当該外部ケース内に収容される内部ユニットと、内部ユニットを収容している外部ケースを上側から閉鎖するカバー体とからなり、ヒンジ機構によって、前記カバー体の前記一側の下端が、前記外部ケースの対応する一側の上端に回動可能に連結され、前記カバー体が、前記外部ケース内に収容されている内部ユニットの上側を解放及び閉鎖するライターに関しては従来から多数の提案がされている。
【０００３】
このような構造・形態のライターとしては、前記の内部ユニットが、上端側が開口している四角柱状の風除け室を上部に有し、当該風除け室内には、前記内部ユニットの上部を通って下端側が前記内部ユニットの内部下側に向かって延びる芯の上端が配置され、当該四角柱状の風除け室の一側が開放され、当該開放されている風除け室の一側に、発火車が、当該発火車の一側の少なくとも一部が前記風除け室の内部に位置し、当該発火車の他側が前記風除け室の外部に位置するように回動可能に配備され、ライター石が、前記発火車の下側に位置するように、前記内部ユニットの上部に配備されている形式の、いわゆるオイルライターが有名である（例えば、特許文献１、２）。
【特許文献１】特表２００３−５２９０４０号公報
【特許文献２】特表２００６−５１９３５６号公報
【発明の開示】
【発明が解決しようとする課題】
【０００４】
前述した従来の構造・形態のオイルライターにおいて、ヒンジ機構は、棒状の芯体と、カバー側部材と、ケース側部材とから構成されるのが一般的である。ここで、カバー側部材は、前記芯体が嵌装されるカバー側筒状部が下端に形成されていて、カバー体の一側の下端に形成されている、あるいは、カバー体の一側の下端の内側あるいは外側に固定されるものである。また、ケース側部材は、前記芯体が嵌装されるケース側筒状部が上端に形成されていて、前記外部ケースの一側の上端に形成されている、あるいは、外部ケースの一側の上端の内側あるいは外側に固定されるものである。
【０００５】
そして、前記カバー側部材とケース側部材とが組み合わされ、前記カバー側筒状部とケース側筒状部とが連設され、当該連設されたカバー側筒状部とケース側筒状部とに前記芯体が嵌装されることによって、前記ヒンジ機構による、前記カバー体の前記一側の下端の、前記外部ケースの対応する一側の上端への回動可能な連結が行われていた。
【０００６】
前記のカバー側部材、ケース側部材は、金属製の板体の一方の端部を巻き曲げしてカバー側筒状部、ケース側筒状部を形成するのが一般的であった。
【０００７】
このため、外部ケースの一側の上端に一側の下端が回動可能に連結されているカバー体により外部ケース内に収容されている内部ユニットの上側を解放及び閉鎖する動作を繰り返す間に前記の巻き曲げにより形成したカバー側筒状部、ケース側筒状部が広がってしまい、がたつきが生じてしまうという問題があった。
【０００８】
また、上端側が開口している四角柱状の風除け室の一側に、発火車が、当該発火車の一側の少なくとも一部が前記風除け室の内部に位置し、当該発火車の他側が前記風除け室の外部に位置するように回動可能に配備されていることから、発火車を回転させて発火車の外周とライター石の表面とを摺接させて発火させる際の回転ストロークが小さくなってしまうという問題があった。
【０００９】
更に、オイルライターでは、風除け室内に配置されている芯の上端からオイルが揮発するが、内部ユニットが収容されている外部ケースを上側からカバーで閉鎖している間に、風除け室内に揮発しているオイルの濃度が高くなっているため、カバー体を開けた直後は、発火車を回転させて発火車の外周とライター石の表面とを摺接させて発火させても一回では着火しにくい、という問題があった。
【００１０】
この発明は、これらの問題点を解決することを目的にしている。
【課題を解決するための手段】
【００１１】
前記目的を達成するため、本願は以下の各発明を提案するものである。
【００１２】
請求項１記載の発明は、
上端側が開口している四角柱状の外部ケースと、当該外部ケース内に収容される内部ユニットと、内部ユニットを収容している外部ケースを上側から閉鎖するカバー体とからなり、
ヒンジ機構によって、前記カバー体の一側の下端が、前記外部ケースの対応する一側の上端に回動可能に連結され、前記カバー体が、前記外部ケース内に収容されている内部ユニットの上側を解放及び閉鎖するライターであって、
前記ヒンジ機構は、
棒状の芯体と、
カバー側受け入れ部と、前記芯体が嵌装されるカバー側筒状部とが下端に形成されていて、前記カバー体の一側の下端の外側に固定されるカバー側板体と、
ケース側受け入れ部と、前記芯体が嵌装されるケース側筒状部とが上端に形成されていて、前記外部ケースの一側の上端の外側に固定されるケース側板体と
からなり、
前記カバー側板体とケース側板体とが組み合わされ、前記ケース側筒状部が前記カバー側受け入れ部に装着されると共に、前記カバー側筒状部がケース側受け入れ部に装着されて前記カバー側筒状部とケース側筒状部とが連設され、当該連設されたカバー側筒状部とケース側筒状部とに前記芯体が嵌装されることによって、前記ヒンジ機構による、前記カバー体の一側の下端の、前記外部ケースの対応する一側の上端への回動可能な連結が行われ、
前記カバー側板体が、前記カバー側筒状部及び前記カバー側受け入れ部を備えている状態で一体形成されているとともに、
前記ケース側板体が、前記ケース側筒状部及び前記ケース側受け入れ部を備えている状態で一体形成されている
ことを特徴とするライターである。
【００１３】
請求項２記載の発明は、
前記カバー側筒状部は少なくともケース側板体に対向する側が凸湾する湾曲面に形成されていると共に、前記ケース側筒状部は少なくともカバー側板体に対向する側が凸湾する湾曲面に形成されていて、前記カバー側受け入れ部は前記ケース側筒状部の凸湾する湾曲面に対応するＲを有するように凹湾して形成され、前記ケース側受け入れ部は前記カバー側筒状部の凸湾する湾曲面に対応するＲを有するように凹湾して形成されていることを特徴とする請求項１記載のライターである。
【００１４】
請求項３記載の発明は、
上端側が開口している四角柱状の外部ケースと、当該外部ケース内に収容される内部ユニットと、内部ユニットを収容している外部ケースを上側から閉鎖するカバー体とからなり、
ヒンジ機構によって、前記カバー体の前記一側の下端が、前記外部ケースの対応する一側の上端に回動可能に連結され、前記カバー体が、前記外部ケース内に収容されている内部ユニットの上側を解放及び閉鎖するライターであって、
前記内部ユニットは、上端側が開口している四角柱状の風除け室を上部に備えており、
前記風除け室内には、前記内部ユニットの上部を通って下端側が前記内部ユニットの内部下側に向かって延びる芯の上端が配置され、
当該四角柱状の風除け室の一側は開放されていて、当該開放されている風除け室の一側に、発火車が、当該発火車の一側の少なくとも一部が前記風除け室の内部に位置し、当該発火車の他側が前記風除け室の外部に位置するように回動可能に配備され、
ライター石が、前記発火車の下側に位置するように、前記内部ユニットの上部に配備され、
前記風除け室の前記発火車が配備されている一側に直交する壁体の上端縁が、前記発火車が配備されている側に対向している側から、前記発火車が配備されている側に向かうにつれて下り傾斜している
ことを特徴とするライターである。
【００１５】
請求項４記載の発明は、
前記四角柱状の風除け室の前記発火車が配備されている一側に直交する壁体には複数の透孔が形成されており、当該複数の透孔の中の少なくとも一つの透孔の径は、他の透孔の径より大きいことを特徴とする請求項３記載のライターである。
【発明の効果】
【００１６】
この発明によれば、外部ケースの一側の上端に一側の下端が回動可能に連結されているカバー体により外部ケース内に収容されている内部ユニットの上側を解放及び閉鎖する動作を長い間にわたって繰り返しても、カバー体と外部ケースとをヒンジ結合しているヒンジ機構にがたつきが生じるおそれのないライターを提供することができる。
【００１７】
また、発火車を回転させて発火車の外周とライター石の表面とを摺接させて発火させる際の回転ストロークが大きいライターを提供することができる。
【００１８】
更に、カバー体を開けた直後であっても、発火車を回転させて発火車の外周とライター石の表面とを摺接させて発火させることにより確実に着火させることのできるライターを提供することができる。
【発明を実施するための最良の形態】
【００１９】
本発明のライター１は、上端側が開口している四角柱状の外部ケース２と、外部ケース２内に収容される内部ユニット３と、内部ユニット３を収容している外部ケース２を上側から閉鎖するカバー体４とからなる。
【００２０】
カバー体４によって、外部ケース内２に収容されている内部ユニット３の上側が解放及び閉鎖される。
【００２１】
このカバー体４による、外部ケース内２の上側の解放及び閉鎖は、図示の実施形態では、カバー体４の一側の下端（図３中、左側の下端）が、ヒンジ機構８によって、外部ケース２の対応する一側の上端（図３中、左側の上端）に、矢印９、１０で示すように、回動可能に連結されることによって行われる。
【００２２】
外部ケース２、カバー体４、ヒンジ機構８は、真鍮などからなる金属製にすることができる。
【００２３】
ヒンジ機構８は、図１に分解斜視図で示す、棒状の芯体７と、カバー側板体５と、ケース側板体６とからなり、これらが図２に示すように組み合わされてヒンジ機構８が構成され、これによって、ヒンジ機構８による、カバー体４の一側の下端（図３中、左側の下端）の、外部ケース２の対応する一側の上端（図３中、左側の上端）への、矢印９、１０で示す、回動可能な連結が行われる。
【００２４】
カバー側板体５には、下端（図１中、左側端）に、カバー側受け入れ部１１と、カバー側筒状部１２ａ、１２ｂとが形成されている。
【００２５】
カバー側筒状部１２ａ、１２ｂはそれぞれ中央孔１２ｃ、１２ｄを備えており、この中央孔１２ｃ、１２ｄの中に芯体７が挿入されることによって、カバー側筒状部１２ａ、１２ｂに芯体７が嵌装される。
【００２６】
カバー側板体５は、カバー体４の一側の下端の外側に固定される。
【００２７】
ケース側板体６には、上端（図１中、右側端）に、ケース側受け入れ部１３ａ、１３ｂと、ケース側筒状部１４とが形成されている。
【００２８】
ケース側筒状部１４は中央孔１４ａを備えており、この中央孔１４ａの中に芯体７が挿入されることによって、ケース側筒状部１４に芯体７が嵌装される。
【００２９】
ケース側板体６は、外部ケース２の一側の上端（図３中、左側の上端）の外側に固定される。
【００３０】
カバー側筒状部１２ａ、１２ｂは、少なくともケース側板体６に対向する側（図１中、左側）が、図１に図示するように、凸湾する湾曲面に形成されている。
【００３１】
ケース側筒状部１４も、少なくともカバー側板体５に対向する側（図１中、右側）が凸湾する湾曲面に形成されている。
【００３２】
また、カバー側受け入れ部１１はケース側筒状部１４の凸湾する湾曲面に対応するＲを有するように凹湾して形成されている。
【００３３】
ケース側受け入れ部１３ａ、１３ｂはカバー側筒状部１２ａ、１２ｂの凸湾する湾曲面に対応するＲを有するように凹湾して形成されている。
【００３４】
カバー側板体５がカバー体４の一側の下端の外側に固定され、ケース側板体６が外部ケース２の一側の上端（図３中、左側の上端）の外側に固定されている状態で、カバー側板体５とケース側板体６とを組み合わせると、前述したように、ケース側筒状部１４は、少なくともカバー側板体５に対向する側（図１中、右側）が凸湾する湾曲面に形成されていて、一方、カバー側受け入れ部１１はケース側筒状部１４の凸湾する湾曲面に対応するＲを有するように凹湾して形成されているので、ケース側筒状部１４がカバー側受け入れ部１１に装着される。
【００３５】
また、カバー側筒状部１２ａ、１２ｂは、少なくともケース側板体６に対向する側（図１中、左側）が、図１に図示するように、凸湾する湾曲面に形成されていて、ケース側受け入れ部１３ａ、１３ｂはカバー側筒状部１２ａ、１２ｂの凸湾する湾曲面に対応するＲを有するように凹湾して形成されているので、カバー側筒状部１２ａ、１２ｂがケース側受け入れ部１３ａ、１３ｂに装着される。
【００３６】
こうして、カバー側板体５とケース側板体６とを組み合わせることにより、カバー側筒状部１２ａ、ケース側筒状部１４、カバー側筒状部１２ｂが、図２図示のように連設される。
【００３７】
そして、この連設されたカバー側筒状部１２ａ、ケース側筒状部１４、カバー側筒状部１２ｂに芯体７が前述したようにして嵌装されることによって、ヒンジ機構８による、カバー体４の一側の下端（図３中、左側の下端）の、外部ケース２の対応する一側の上端（図３中、左側の上端）への、矢印９、１０で示す、回動可能な連結が行われる。
【００３８】
本発明においては、ヒンジ機構８の金属製のカバー側板体５は、カバー側筒状部１２ａ、１２ｂ及びカバー側受け入れ部１１を備えている状態で一体形成されている。
【００３９】
同じく、金属製のケース側板体６は、ケース側筒状部１４及びケース側受け入れ部１３ａ、１３ｂを備えている状態で一体形成されている。
【００４０】
このように、金属製のカバー側板体５、金属製のケース側板体６が、カバー側筒状部１２ａ、１２ｂ及びカバー側受け入れ部１１を備えている状態及び、ケース側筒状部１４及びケース側受け入れ部１３ａ、１３ｂを備えている状態で、それぞれ、一体形成されているので、外部ケース２の一側の上端に、一側の下端が回動可能に連結されているカバー体４により外部ケース２内に収容されている内部ユニット３の上側を解放及び閉鎖する動作を長い間にわたって繰り返しても、カバー体４と外部ケース２とをヒンジ結合しているヒンジ機構８にがたつきが生じるおそれはない。
【００４１】
内部ユニット３は、上端側が開口している四角柱状の風除け室１５を上部に備えている。
【００４２】
金属製の風除け室１５内には、内部ユニット３の上部を通って下端側が内部ユニット３の内部下側に向かって延びる芯２０の上端が配置されている。
【００４３】
風除け室１５の一側（図３中、右側）は開放されていて、この開放されている風除け室１５の一側に発火車１６が、図３に示すように、発火車１６の一側の少なくとも一部が風除け室１５の内部に位置し、発火車１６の他側が風除け室１５の外部に位置するように回動可能に配備されている。
【００４４】
また、ライター石１７が、発火車１６の下側に位置するように、内部ユニット３の上部に配備されている。
【００４５】
風除け室１５の、発火車１６が配備されている一側に直交する壁体の上端縁１８は、図３図示のように、発火車１６が配備されている側に対向している側（図３中、左側）から、発火車１６が配備されている側（図３中、右側）に向かうにつれて下り傾斜している。
【００４６】
これによって、発火車１６を矢印２１方向に回転させて発火車１６の外周とライター石１７の表面とを摺接させて発火させる際の回転ストロークを大きくさせることができる。
【００４７】
また、風除け室１５の、発火車１６が配備されている一側に直交する壁体には複数の透孔１９、１９ａ、１９ｂ、１９ｃが形成されており、この複数の透孔１９、１９ａ、１９ｂ、１９ｃの中の少なくとも一つの透孔１９の径は、他の透孔１９ａ、１９ｂ、１９ｃの径より大きくなっている。
【００４８】
この結果、図３図示のように、カバー体４を開けた直後であっても、芯２０を介して揮発し、風除け室１５内に存在していたガス状のオイルは、他の透孔１９ａ、１９ｂ、１９ｃより径が大きい透孔１９を介して風除け室１５外にスムーズに漏れ出るので、風除け室１５内におけるガス状オイルの濃度が薄くなり、発火車１６を矢印２１方向に回転させ発火車１６の外周とライター石１７の表面とを摺接させて発火させることにより確実に着火することができる。
【図面の簡単な説明】
【００４９】
【図１】この発明のライターの外部ケースとカバー体との間に配備されるヒンジ機構の一例の分解斜視図。
【図２】この発明のライターのヒンジ機構部分の一例を表す斜視図。
【図３】この発明のライターのカバー体が開けられている状態の一例を説明する側面図。
【符号の説明】
【００５０】
１  ライター
２  外部ケース
３  内部ユニット
４  カバー体
５  カバー側板体
６  ケース側板体
７  棒状の芯体
８  ヒンジ機構
１１  カバー側受け入れ部
１２ａ、１２ｂ  カバー側筒状部
１３ａ、１３ｂ  ケース側受け入れ部
１４  ケース側筒状部
１５  風除け室
１６  発火車
１７  ライター石
１８  風除け室の上端縁
１９  径が大きい透孔
１９ａ、１９ｂ、１９ｃ  径が小さい透孔
２０  芯
【図１】
2009192111.tif 000003
【図２】
2009192111.tif 000004
【図３】
2009192111.tif 000005